(57)【特許請求の範囲】
【請求項１】
シートを搬送向きに搬送する搬送部と、
インクを吐出することによってシートに画像を記録する記録部と、
上記搬送部及び上記記録部を制御する制御部と、
上記記録部に対面する位置までのシートの搬送経路長が第１経路長の第１トレイと、
上記記録部に対面する位置までのシートの搬送経路長が上記第１経路長より長い第２経路長の第２トレイと、を備えており、
上記制御部は、
上記搬送部によって搬送されるシートの繊維方向が、上記搬送向きに沿う縦目搬送及び上記搬送向きと交差する幅方向に沿う横目搬送のどちらであるかを示す搬送向き情報を取得する取得処理と、
上記記録部に吐出させるインクが着弾する領域であって、シートの大きさに相当するシート内領域及び上記シート内領域を囲むはみ出し領域を含む着弾領域の大きさを決定する決定処理と、
上記着弾領域に重なる位置まで上記搬送部にシートを搬送させる搬送処理と、
上記着弾領域に向けて上記記録部にインクを吐出させる吐出処理と、を実行し、
上記決定処理において、
上記搬送向き情報が上記縦目搬送を示すことに応じて、上記幅方向において上記シート内領域に隣接する上記はみ出し領域の上記幅方向に沿う幅方向長さを第１幅に決定し、
上記搬送向き情報が上記横目搬送を示すことに応じて、上記幅方向長さを上記第１幅より短い第２幅に決定し、
上記第２トレイに支持されたシートに画像を記録する場合の上記はみ出し領域を、上記第１トレイに支持されたシートに画像を記録する場合の上記はみ出し領域より大きくするインクジェット記録装置。
【請求項２】
シートを搬送向きに搬送する搬送部と、
インクを吐出することによってシートに画像を記録する記録部と、
上記搬送部及び上記記録部を制御する制御部と、
シートを支持する給送トレイと、
上記給送トレイに支持されたシートを上記搬送部へ給送する給送部と、
上記搬送部に到達されたシートを支持する手差しトレイと、を備えており、
上記制御部は、
上記搬送部によって搬送されるシートの繊維方向が、上記搬送向きに沿う縦目搬送及び上記搬送向きと交差する幅方向に沿う横目搬送のどちらであるかを示す搬送向き情報を取得する取得処理と、
上記記録部に吐出させるインクが着弾する領域であって、シートの大きさに相当するシート内領域及び上記シート内領域を囲むはみ出し領域を含む着弾領域の大きさを決定する決定処理と、
上記着弾領域に重なる位置まで上記搬送部にシートを搬送させる搬送処理と、
上記着弾領域に向けて上記記録部にインクを吐出させる吐出処理と、を実行し、
上記決定処理において、
上記搬送向き情報が上記縦目搬送を示すことに応じて、上記幅方向において上記シート内領域に隣接する上記はみ出し領域の上記幅方向に沿う幅方向長さを第１幅に決定し、
上記搬送向き情報が上記横目搬送を示すことに応じて、上記幅方向長さを上記第１幅より短い第２幅に決定し、
上記手差しトレイに支持されたシートに画像を記録する場合の上記はみ出し領域を、上記給送トレイに支持されたシートに画像を記録する場合の上記はみ出し領域より大きくするインクジェット記録装置。
【請求項３】
上記制御部は、上記決定処理において、
上記シート内領域に向けて吐出されるインク量を積算し、
上記搬送向き情報が上記縦目搬送を示し且つ上記インク量が閾値以上であることに応じて、上記幅方向長さを上記第１幅に決定し、
上記搬送向き情報が上記縦目搬送を示し且つ上記インク量が閾値未満であることに応じて、上記幅方向長さを上記第１幅より短く且つ上記第２幅より長い第３幅に決定する請求項１又は２に記載のインクジェット記録装置。
【請求項４】
上記制御部は、上記決定処理において、
上記搬送向き情報が上記横目搬送を示すことに応じて、上記搬送向きの上流側において上記シート内領域に隣接する上記はみ出し領域の上記搬送向きに沿う搬送向き長さを第１長さに決定し、
上記搬送向き情報が上記縦目搬送を示すことに応じて、上記搬送向き長さを上記第１長さより短い第２長さに決定する請求項１から３のいずれかに記載のインクジェット記録装置。
【請求項５】
上記制御部は、上記決定処理において、
上記シート内領域に向けて吐出されるインク量を積算し、
上記搬送向き情報が上記横目搬送を示し且つ上記インク量が閾値以上であることに応じて、上記搬送向き長さを上記第１長さに決定し、
上記搬送向き情報が上記横目搬送を示し且つ上記インク量が閾値未満であることに応じて、上記搬送向き長さを上記第１長さより短く且つ上記第２長さより長い第３長さに決定する請求項４に記載のインクジェット記録装置。
【請求項６】
シートを支持するトレイをさらに備えており、
上記制御部は、上記取得処理において、上記トレイに支持されたシートのサイズを示すサイズ情報及び上記トレイ上のシートの載置向きを示す向き情報を、上記搬送向き情報として取得する請求項１から５のいずれかに記載のインクジェット記録装置。
【発明の詳細な説明】
【技術分野】
【０００１】
本発明は、所謂縁無し印刷が可能なインクジェット記録装置に関する。
【背景技術】
【０００２】
従来より、シートの全域に画像を記録する所謂縁無し印刷が可能なインクジェット記録装置が知られている。例えば特許文献１には、理想的なシートの位置からはみ出したはみ出し領域にまでインクを吐出するインクジェット記録装置が開示されている。
【先行技術文献】
【特許文献】
【０００３】
【特許文献１】特開２００２−１０３５８７号公報
【発明の概要】
【発明が解決しようとする課題】
【０００４】
縁無し印刷においてはみ出し領域に吐出されるインクは、用紙に付着しないために無駄になる。しかしながら、はみ出し領域を小さくすると、インクが付着しない用紙の周縁部に地の部分が露出してしまう可能性がある。
【０００５】
本発明は、上記の事情に鑑みてなされたものであり、その目的は、所謂縁無し印刷において、画像記録品質を低下させることなく、シート外に着弾するインクの量を削減したインクジェット記録装置を提供することにある。
【課題を解決するための手段】
【０００６】
(1)  本発明に係るインクジェット記録装置は、シートを搬送向きに搬送する搬送部と、インクを吐出することによってシートに画像を記録する記録部と、上記搬送部及び上記記録部を制御する制御部とを備える。上記制御部は、上記搬送部によって搬送されるシートの繊維方向が、上記搬送向きに沿う縦目搬送及び上記搬送向きと交差する幅方向に沿う横目搬送のどちらであるかを示す搬送向き情報を取得する取得処理と、上記記録部に吐出させるインクが着弾する領域であって、シートの大きさに相当するシート内領域及び上記シート内領域を囲むはみ出し領域を含む着弾領域の大きさを決定する決定処理と、上記着弾領域に重なる位置まで上記搬送部にシートを搬送させる搬送処理と、上記着弾領域に向けて上記記録部にインクを吐出させる吐出処理とを実行する。そして、上記制御部は、上記決定処理において、上記搬送向き情報が上記縦目搬送を示すことに応じて、上記幅方向において上記シート内領域に隣接する上記はみ出し領域の上記幅方向に沿う幅方向長さを第１幅に決定し、上記搬送向き情報が上記横目搬送を示すことに応じて、上記幅方向長さを上記第１幅より短い第２幅に決定する。
【０００７】
一般的に、横目搬送されるシートは、インクを吸収したことによる幅方向の伸び率が縦目搬送されるシートより小さい。そこで、上記構成によれば、横目搬送されるシートに画像を記録する場合のはみ出し領域の幅方向長さを、縦目搬送されるシートに画像を記録する場合より短くする。その結果、画像記録品質を低下（例えば、用紙の周縁部に地の部分が露出すること等を指す。）させることなく、シート外に着弾するインクの量を削減することができる。
【０００８】
(2)  好ましくは、上記制御部は、上記決定処理において、上記シート内領域に向けて吐出されるインク量を積算し、上記搬送向き情報が上記縦目搬送を示し且つ上記インク量が閾値以上であることに応じて、上記幅方向長さを上記第１幅に決定し、上記搬送向き情報が上記縦目搬送を示し且つ上記インク量が閾値未満であることに応じて、上記幅方向長さを上記第１幅より短く且つ上記第２幅より長い第３幅に決定する。
【０００９】
(3)  好ましくは、上記制御部は、上記決定処理において、上記搬送向き情報が上記横目搬送を示すことに応じて、上記搬送向きの上流側において上記シート内領域に隣接する上記はみ出し領域の上記搬送向きに沿う搬送向き長さを第１長さに決定し、上記搬送向き情報が上記縦目搬送を示すことに応じて、上記搬送向き長さを上記第１長さより短い第２長さに決定する。
【００１０】
一般的に、縦目搬送されるシートは、インクを吸収したことによる搬送向きの伸び率が横目搬送されるシートより小さい。また、インクの吸収による搬送向きの伸びの影響は、最後に画像が記録される搬送向きの上流側の端部で顕著になる。そこで、上記構成によれば、縦目搬送されるシートに画像を記録する場合のはみ出し領域の搬送向き長さを、横目搬送されるシートに画像を記録する場合より短くする。その結果、画像記録品質を低下（例えば、用紙の周縁部に地の部分が露出すること等を指す。）させることなく、シート外に着弾するインクの量を削減することができる。
【００１１】
(4)  好ましくは、上記制御部は、上記決定処理において、上記シート内領域に向けて吐出されるインク量を積算し、上記搬送向き情報が上記横目搬送を示し且つ上記インク量が閾値以上であることに応じて、上記搬送向き長さを上記第１長さに決定し、上記搬送向き情報が上記横目搬送を示し且つ上記インク量が閾値未満であることに応じて、上記搬送向き長さを上記第１長さより短く且つ上記第２長さより長い第３長さに決定する。
【００１２】
シートの伸び率は、インクの吸収量が多くなるほど大きくなる傾向がある。そこで、シートに着弾するインクが少ない場合に、はみ出し領域の搬送向き長さを短くすることにより、シート外に着弾するインクの量をさらに削減することができる。
【００１３】
(5)  好ましくは、該インクジェット記録装置は、上記記録部に対面する位置までのシートの搬送経路長が第１経路長の第１トレイと、上記記録部に対面する位置までのシートの搬送経路長が上記第１経路長より短い第２経路長の第２トレイとをさらに備える。そして、上記制御部は、上記決定処理において、上記第１トレイに支持されたシートに画像を記録する場合の上記はみ出し領域を、上記第２トレイに支持されたシートに画像を記録する場合の上記はみ出し領域より大きくする。
【００１４】
トレイから記録部に至る搬送経路長が長い程、搬送時に生じる斜行の度合いが大きくなる傾向がある。そこで、上記構成のように、搬送経路長が長い第２トレイに支持されたシートに画像を記録する場合に、搬送経路長が短い第１トレイに支持されたシートに画像を記録する場合より、はみ出し領域を大きくするのが望ましい。
【００１５】
(6)  好ましくは、該インクジェット記録装置は、シートを支持する給送トレイと、上記給送トレイに支持されたシートを上記搬送部へ給送する給送部と、上記搬送部に到達されたシートを支持する手差しトレイとをさらに備える。そして、上記制御部は、上記決定処理において、上記手差しトレイに支持されたシートに画像を記録する場合の上記はみ出し領域を、上記給送トレイに支持されたシートに画像を記録する場合の上記はみ出し領域より大きくする。
【００１６】
手差しトレイに支持されたシートは、給送トレイに支持され且つ給送部によって給送されたシートより斜行の度合いが大きくなる傾向がある。そこで、手差しトレイに支持されたシートに画像を記録する場合に、給送トレイに支持されたシートに画像を記録する場合より、はみ出し領域を大きくするのが望ましい。
【００１７】
(7)  例えば、該インクジェット記録装置は、シートを支持するトレイをさらに備える。そして、上記制御部は、上記取得処理において、上記トレイに支持されたシートのサイズを示すサイズ情報及び上記トレイ上のシートの載置向きを示す向き情報を、上記搬送向き情報として取得する。
【００１８】
サイズ情報とは、例えば、Ａ４、Ｂ５、Ｌ版等である。載置向き情報とは、例えば、用紙の長手方向（或いは、短手方向）が搬送向きに沿った状態でトレイに支持されているか、用紙の長手方向（或いは、短手方向）が幅方向に沿った状態でトレイに支持されているかを示す情報である。一例として、長手方向が搬送向きに沿う状態のＡ４用紙がトレイに支持されている場合に、縦目搬送と判断される。他の例として、長手方向が搬送向きに沿う状態のＡ３用紙がトレイに支持されている場合に、横目搬送と判断される。但し、搬送向き情報の取得方法はこれに限定されず、用紙の繊維の向きをセンサで検知してもよいし、操作パネル等を通じてユーザに入力させてもよい。
【００１９】
(8)  本発明に係るプログラムは、シートを搬送向きに搬送する搬送部、及びインクを吐出することによってシートに画像を記録する記録部に接続されたコンピュータによって実行可能である。該プログラムは、上記搬送部によって搬送されるシートの繊維方向が、上記搬送向きに沿う縦目搬送及び上記搬送向きと交差する幅方向に沿う横目搬送のどちらであるかを示す搬送向き情報を取得する取得処理と、上記記録部に吐出させるインクが着弾する領域であって、シートの大きさに相当するシート内領域及び上記シート内領域を囲むはみ出し領域を含む着弾領域の大きさを決定する決定処理と、上記着弾領域に重なる位置まで上記搬送部にシートを搬送させる搬送処理と、上記着弾領域に向けて上記記録部にインクを吐出させる吐出処理とを上記コンピュータに実行させる。そして、該プログラムは、上記決定処理において、上記搬送向き情報が上記縦目搬送を示すことに応じて、上記幅方向において上記シート内領域に隣接する上記はみ出し領域の上記幅方向に沿う幅方向長さを第１幅に決定し、上記搬送向き情報が上記横目搬送を示すことに応じて、上記幅方向長さを上記第１幅より短い第２幅に決定する。
【発明の効果】
【００２０】
本発明によれば、横目搬送されるシートに縁無し印刷によって画像を記録する場合のはみ出し領域の幅方向長さを、縦目搬送されるシートの場合より短くすることにより、縁無し印刷における画像記録品質を低下させることなく、シート外に着弾するインクの量を削減することができる。
【図面の簡単な説明】
【００２１】
【図１】図１は、複合機１０の外観斜視図である。
【図２】図２は、プリンタ部１１の内部構造を模式的に示す縦断面図である。
【図３】図３は、キャリッジ２３及びガイドレール４３、４４の平面図である。
【図４】図４は、プリンタ部１１のブロック図である。
【図５】図５は、表示部１４の表示例であって、（Ａ）はトレイ情報入力画面を、（Ｂ）は用紙サイズ選択画面を示す。
【図６】図６は、画像記録処理のフローチャートである。
【図７】図７は、縦目搬送される用紙１２の着弾領域７０の例であって、（Ａ）はインク量が閾値以上の場合を、（Ｂ）はインク量が閾値未満の場合を示す。
【図８】図８は、横目搬送される用紙１２の着弾領域７０の例であって、（Ａ）はインク量が閾値以上の場合を、（Ｂ）はインク量が閾値未満の場合を示す。
【図９】図９は、変形例に係る決定処理のフローチャートである。
【発明を実施するための形態】
【００２２】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。さらに、複合機１０が使用可能に設置された状態（図１の状態）を基準として上下方向７が定義され、開口１３が形成されている側を手前側（正面）として前後方向８が定義され、複合機１０を手前側（正面）から見て左右方向９が定義される。
【００２３】
［複合機１０の全体構成］
複合機１０は、図１に示されるように、概ね直方体に形成されている。複合機１０は、下部にインクジェット記録方式で用紙１２（シートの一例、図２参照）に画像を記録するプリンタ部１１と、表示部１４と、操作部１７とを有している。
【００２４】
プリンタ部１１は、図２に示されるように、第１給送部１５と、第２給送部３４と、第１給送トレイ２０（トレイ或いは第１トレイの一例）と、第２給送トレイ３１（第２トレイの一例）と、手差しトレイ２２と、排出トレイ２１と、搬送ローラ部５４と、記録部２４と、排出ローラ部５５と、プラテン４２とを備えている。複合機１０は、インクジェット記録装置の一例である。第１給送部１５、第２給送部３４、搬送ローラ部５４、及び排出ローラ部５５は、搬送部の一例である。
【００２５】
［第１給送トレイ２０、第２給送トレイ３１、排出トレイ２１、手差しトレイ２２］
第１給送トレイ２０及び第２給送トレイ３１は、図１及び図２に示されるように、プリンタ部１１の正面に形成された開口１３に配置されている。また、第１給送トレイ２０及び第２給送トレイ３１は開口１３を通じてユーザによって前後方向８に挿抜される。第１給送トレイ２０及び第２給送トレイ３１は、積層された複数の用紙１２を支持することができる。第１給送トレイ２０は、第２給送トレイ３１の上側に配置されている。排出トレイ２１は、第１給送トレイ２０の上側に配置されている。排出トレイ２１は、開口１３を通じて排出ローラ部５５によって排出された用紙１２を支持する。
【００２６】
手差しトレイ２２は、図１及び図２に示されるように、プリンタ部１１の背面側から後方へ向かって斜め上方に傾斜するように構成されており、その上面において用紙１２を１枚支持する。ユーザは、手差しトレイ２２を介して、後述するレジストセンサ１２０の設置位置を経由して搬送ローラ部５４に到達するまで用紙１２を挿入することができる。すなわち、手差しトレイ２２は、搬送ローラ部５４に当接された状態の用紙１２を支持する。
【００２７】
［第１給送部１５、第２給送部３４］
第１給送部１５は、図２に示されるように、第１給送ローラ２５と、給送アーム２６と、軸２７とを備えている。第１給送ローラ２５は、給送アーム２６の先端側に回転可能に支持されている。第１給送ローラ２５は、搬送モータ１０２（図４参照）の逆転によって、第１給送トレイ２０に支持された用紙１２を第１搬送路６５Ａに給送する正回転が可能である。給送アーム２６は、プリンタ部１１のフレームに支持された軸２７に回動可能に支持されている。
【００２８】
第２給送部３４は、第２給送ローラ３５と、給送アーム３６と、軸３７とを備えている。第２給送部３４を構成する各構成要素は、第１給送部１５を構成する各構成要素と概ね共通する。第２給送ローラ３５は、搬送モータ１０２の逆転によって、第２給送トレイ３１に支持された用紙１２を第２搬送路６５Ｂに給送する正回転が可能である。
【００２９】
［搬送路６５］
搬送路６５は、図２に示されるように、その一部がプリンタ部１１の内部において、所定間隔で対向するガイド部材２８、２９、３０等の経路部材によって画定される空間を指す。搬送路６５は、第１給送トレイ２０の後端部から湾曲しつつ上方に延びる第１搬送路６５Ａと、第２給送トレイ３１の後端部から湾曲しつつ上方に延びる第２搬送路６５Ｂとを含む。
【００３０】
また、第１搬送路６５Ａ及び第２搬送路６５Ｂは、手差しトレイ２２より搬送向き１６の上流側において合流する。そして、合流位置の周辺から前後方向８に概ね直線的に延びる搬送路６５は、レジストセンサ１２０、搬送ローラ部５４、記録部２４及びプラテン４２、及び排出ローラ部５５の間を通過して排出トレイ２１に至る。搬送路６５内における用紙１２の搬送向き１６は、図２において一点鎖線の矢印で示されている。
【００３１】
第１給送トレイ２０から第１搬送路６５Ａを経由して記録部２４に対面する位置までの用紙１２の搬送経路長は、第１搬送経路長の一例である。また、第２給送トレイ３１から第２搬送路６５Ｂを経由して記録部２４に対面する位置までの用紙１２の搬送経路長は、第２搬送経路長の一例である。そして、本実施形態における第２搬送経路長は、第１搬送経路長より長い。
【００３２】
［搬送ローラ部５４］
搬送ローラ部５４は、図２に示されるように、記録部２４より搬送向き１６の上流側に配置されている。搬送ローラ部５４は、互いに対向する搬送ローラ６０及びピンチローラ６１を備える。搬送ローラ６０は、搬送モータ１０２によって駆動される。ピンチローラ６１は、搬送ローラ６０の回転に伴って連れ回る。用紙１２は、搬送モータ１０２の正転によって正回転する搬送ローラ６０及びピンチローラ６１に挟持されて搬送向き１６に搬送される。
【００３３】
［排出ローラ部５５］
排出ローラ部５５は、図２に示されるように、記録部２４より搬送向き１６の下流側に配置されている。排出ローラ部５５は、互いに対向する排出ローラ６２及び拍車６３を備える。排出ローラ６２は、搬送モータ１０２によって駆動される。拍車６３は、排出ローラ６２の回転に伴って連れ回る。用紙１２は、搬送モータ１０２の正転によって正回転する排出ローラ６２及び拍車６３に挟持されて搬送向き１６に搬送される。
【００３４】
［レジストセンサ１２０］
プリンタ部１１は、図２に示されるように、搬送ローラ部５４より搬送向き１６の上流側に、レジストセンサ１２０を備える。本実施形態におけるレジストセンサ１２０は、第１搬送路６５Ａ及び第２搬送路６５Ｂの合流位置より搬送向き１６の下流側に配置される。レジストセンサ１２０は、当該レジストセンサ１２０の設置位置に用紙１２が存在することを検知するためのセンサである。
【００３５】
レジストセンサ１２０は、用紙１２が設置位置に存在していることに応じて、ローレベル信号を後述する制御部１３０（図４参照）に出力する。一方、レジストセンサ１２０は、用紙１２が設置位置に存在していないことに応じて、ハイレベル信号を制御部１３０に出力する。第１給送部１５及び第２給送部３４によって給送された用紙１２、及び手差しトレイ２２を介してユーザに挿入れた用紙１２は、レジストセンサ１２０の設置位置を通過して搬送ローラ部５４に到達する。
【００３６】
［ロータリエンコーダ１２１］
また、プリンタ部１１は、図４に示されるように、搬送ローラ６０の回転（換言すれば、搬送モータ１０２の回転）に応じてパルス信号を発生させる公知のロータリエンコーダ１２１を備える。ロータリエンコーダ１２１は、エンコーダディスクと、光学センサとを備える。エンコーダディスクは、搬送ローラ６０の回転と共に回転する。光学センサは、回転するエンコーダディスクを読み取ってパルス信号を生成し、生成したパルス信号を制御部１３０に出力する。
【００３７】
［記録部２４］
記録部２４は、図２に示されるように、搬送向き１６における搬送ローラ部５４及び排出ローラ部５５の間に配置されている。また、記録部２４は、上下方向７においてプラテン４２に対向するようにして配置されている。記録部２４は、キャリッジ２３と、記録ヘッド３９とを備えている。また、キャリッジ２３からは、図３に示されるように、インクチューブ３２及びフレキシブルフラットケーブル３３が延出されている。インクチューブ３２は、インクカートリッジのインクを記録ヘッド３９に供給する。フレキシブルフラットケーブル３３は、制御部１３０が実装された制御基板と記録ヘッド３９とを電気的に接続する。
【００３８】
キャリッジ２３は、図３に示されるように、前後方向８に離間する位置において各々が左右方向９に延設されたガイドレール４３、４４に支持されている。キャリッジ２３は、ガイドレール４４に搭載された公知のベルト機構に連結されている。なお、このベルト機構は、キャリッジモータ１０３（図４参照）によって駆動される。つまり、キャリッジモータ１０３の駆動により周運動するベルト機構に連結されたキャリッジ２３は、左右方向９に沿う主走査方向へ往復移動することができる。
【００３９】
記録ヘッド３９は、図２に示されるように、キャリッジ２３に搭載されている。記録ヘッド３９の下面には、複数のノズル４０が形成されている。記録ヘッド３９は、ノズル４０からインクを微小なインク滴として吐出する。キャリッジ２３が移動する過程において、プラテン４２に支持されている用紙１２に対して記録ヘッド３９がインク滴を吐出する。これにより、用紙１２に画像が記録される。
【００４０】
［プラテン４２］
プラテン４２は、図２に示されるように、搬送向き１６における搬送ローラ部５４及び排出ローラ部５５の間に配置されている。プラテン４２は、上下方向７において記録部２４に対向するようにして配置されており、搬送ローラ部５４によって搬送される用紙１２を下側から支持する。
【００４１】
［駆動力伝達機構１０４］
図４に示される駆動力伝達機構１０４は、搬送モータ１０２の駆動力を、第１給送ローラ２５、第２給送ローラ３５、搬送ローラ６０、及び排出ローラ６２へ伝達する。駆動力伝達機構１０４は、歯車、プーリ、無端環状のベルト、遊星歯車機構（振子ギヤ機構）、及びワンウェイクラッチ等の全部又は一部を組み合わせて構成される。なお、各ローラを回転させるためのモータは１つに限定されず、複数であってもよい。
【００４２】
［表示部１４］
表示部１４は、ユーザに報知すべき情報をメッセージ或いはアニメーションとして表示する表示画面を備える。表示部１４の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００４３】
［操作部１７］
操作部１７は、複合機１０に対する指示の入力をユーザから受け付ける入力インタフェースである。操作部１７の具体的な構成は特に限定されないが、例えば複数の押しボタンを有していてもよいし、図１に示されるように表示部１４の表示画面に重畳されたタッチセンサを有していてもよい。
【００４４】
［制御部１３０］
制御部１３０は、図４に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００４５】
ＥＥＰＲＯＭ１３４は、例えば、第１給送トレイ２０及び第２給送トレイ３１それぞれのトレイ情報を記憶している。トレイ情報は、例えば、対応するトレイに支持された用紙１２の種類を示す種類情報と、対応するトレイに支持された用紙１２のサイズを示すサイズ情報と、対応するトレイ上の用紙１２の載置向きを示す向き情報とを含む。種類情報及びサイズ情報は、例えば、後述するトレイ情報入力画面を通じてユーザからの入力を受け付けることができる。一方、向き情報は、例えば、各トレイ毎に予め定められている。
【００４６】
サイズ情報とは、例えば、Ａ４、Ｂ５、Ｌ版等である。載置向き情報とは、例えば、用紙１２の長手方向が搬送向き１６に沿った状態でトレイに支持されている「縦置き」、或いは用紙１２の短手方向が搬送向き１６に沿った状態でトレイに支持されている「横置き」のいずれかである。
【００４７】
ＡＳＩＣ１３５には、搬送モータ１０２及びキャリッジモータ１０３が接続されている。ＡＳＩＣ１３５は、各モータを回転させるための駆動信号を生成し、この駆動信号を元に各モータを制御する。各モータは、ＡＳＩＣ１３５からの駆動信号によって正転又は逆転する。例えば、制御部１３０は、搬送モータ１０２の駆動を制御して各ローラを駆動させる。また、制御部１３０は、キャリッジモータ１０３の駆動を制御してキャリッジ２３を往復移動させる。また、制御部１３０は、記録ヘッド３９を制御してノズル４０からインクを吐出させる。
【００４８】
また、ＡＳＩＣ１３５には、レジストセンサ１２０と、ロータリエンコーダ１２１とが接続されている。制御部１３０は、レジストセンサ１２０から出力される検知信号と、ロータリエンコーダ１２１から出力されるパルス信号とに基づいて、用紙１２の位置を検知する。また、制御部１３０は、表示部１４にメッセージ或いはアニメーションを表示させる。さらに、制御部１３０は、操作部１７を通じてユーザから各種指示を取得する。
【００４９】
制御部１３０は、例えば第１給送トレイ２０又は第２給送トレイ２２がプリンタ部１１から抜かれたことに応じて、抜かれたトレイのトレイ情報入力画面を表示部１４に表示させる。トレイ情報入力画面は、図５（Ａ）に示されるように、［用紙の種類］ボタンと、［用紙のサイズ］ボタンと、［完了］ボタンとを含む。［用紙の種類」ボタンは、第１給送トレイ２０に支持させる用紙１２の種類を設定するためのボタンである。［用紙のサイズ］ボタンは、第１給送トレイ２０に支持させる用紙１２のサイズを設定するためのボタンである。［完了］ボタンは、トレイ情報入力画面を通じて設定されたトレイ情報を、ＥＥＰＲＯＭ１３４に記憶させるためのボタンである。
【００５０】
制御部１３０は、［用紙のサイズ］ボタンを押下するユーザ操作を操作部１７が受け付けたことに応じて、用紙サイズ選択画面を表示部１４に表示させる。用紙サイズ選択画面は、例えば図５（Ｂ）に示されるように、［レター］ボタンと、［Ａ４］ボタンと、［リーガル］ボタンと、［特殊］ボタンとを含む。そして、制御部１３０は、用紙サイズ選択画面に表示されたボタンの１つを押下するユーザ操作を操作部１７が受け付けたことに応じて、当該ボタンに対応する用紙サイズをサイズ情報としてＥＥＰＲＯＭ１３４に記憶させる。但し、選択可能な用紙１２のサイズは、図５（Ｂ）の例に限定されない。また、トレイ情報入力画面を表示部１４に表示させるタイミングは、対応するトレイが抜かれたタイミングに限定されない。さらに、トレイ情報入力画面の［用紙の種類］ボタンが押下された場合の種類情報を設定する処理は、サイズ設定を変更する処理と概ね共通するので、説明を省略する。
【００５１】
［画像記録処理］
図６〜図８を参照して、複合機１０による画像記録処理を説明する。この画像記録処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。本実施形態に係る制御部１３０は、複合機１０に記録指示が入力されたことに応じて、図５に示される画像記録処理を実行する。記録指示の取得先は特に限定されないが、例えば、通信回線を通じて外部装置から取得してもよいし、操作部１７を通じて取得してもよい。
【００５２】
記録指示は、画像データで示される画像を用紙１２に記録する画像記録処理を複合機１０に実行させるための指示である。記録指示は、例えば、用紙１２に記録すべき画像を示す画像データと、当該画像が記録される用紙１２のサイズ（例えば、Ａ４、Ｂ４等）を示す指定サイズ情報と、縁無し印刷フラグとを含む。縁無し印刷フラグは、記録指示に従った画像記録処理が所謂縁無し印刷であることを示す情報である。
【００５３】
まず、制御部１３０は、取得した記録指示に縁無し印刷フラグが含まれることに応じて、搬送向き情報を取得する（Ｓ１１）。搬送向き情報は、縦目搬送であるか、或いは横目搬送であるかを示す情報である。縦目搬送は、用紙１２の繊維方向が搬送向き１６に沿った状態で搬送部によって搬送されることを示す。また、横目搬送は、用紙１２の繊維方向が搬送向き１６と交差する左右方向９（幅方向の一例）に沿った状態で搬送部によって搬送されることを示す。ステップＳ１１の処理は、取得処理の一例である。
【００５４】
まず、制御部１３０は、画像を記録する用紙１２が支持されたトレイを選択する。具体的には、制御部１３０は、第１給送トレイ２０及び第２給送トレイ３１のうち、ＥＥＰＲＯＭ１３４に記憶されたサイズ情報と、記録指示に含まれる指定サイズ情報とが一致するトレイを選択する。例えば、指定サイズ情報がＡ４を示し、第１給送トレイ２０のサイズ情報がＡ４で、第２給送トレイ３１のサイズ情報がＢ５で、手差しトレイ２２に用紙１２が支持されていない場合、制御部１３０は、第１給送トレイ２０を選択する。
【００５５】
次に、制御部１３０は、第１給送トレイ２０のサイズ情報及び向き情報を、搬送向き情報としてＥＥＰＲＯＭ１３４から読み出す。すなわち、本実施形態において、用紙１２が縦目搬送されるか横目搬送されるかは、当該用紙１２のサイズ及び載置向きの組み合わせによって予め定められている。例えば、Ａ４サイズの用紙１２が縦置きされている場合は縦目搬送であり、Ａ４サイズの用紙１２が横置きされている場合は横目搬送であり、Ａ３サイズの用紙１２が縦置きされている場合は横目搬送である。
【００５６】
次に、制御部１３０は、着弾領域７０の大きさを決定する（Ｓ１２〜Ｓ１９）。ステップＳ１２〜Ｓ１９の処理は、決定処理の一例である。着弾領域７０は、後述する吐出処理（Ｓ２１）において記録ヘッド３９に吐出させるインクが着弾する領域を指す。着弾領域７０は、例えば図７及び図８に示されるように、シート内領域７１と、はみ出し領域７２とを含む。
【００５７】
シート内領域７１は、指定サイズ情報で示される用紙１２の大きさに相当する領域である。換言すれば、シート内領域７１は、記録ヘッド３９に対面する位置まで斜行されずに搬送された用紙１２の領域に一致する領域である。はみ出し領域７２は、シート内領域７１を囲む枠型の領域である。すなわち、はみ出し領域７２は、搬送向き１６の上流側及び下流側と左右方向９の両側とにおいて、シート内領域７１と隣接する領域を指す。
【００５８】
まず、制御部１３０は、吐出処理（Ｓ２１）においてシート内領域７１に吐出されるインク量を積算する（Ｓ１２）。制御部１３０は、記録指示に含まれる画像データに基づいてインク量を積算する。なお、制御部１３０は、シート内領域７１に吐出される現実のインク量の積算値に代えて、当該画像記録処理で記録される画像の解像度或いは画素数を取得してもよい。画像の解像度或いは画素数は、例えば、記録指示に含まれる画像データから取得することができる。
【００５９】
次に、制御部１３０は、搬送向き情報が縦目搬送を示し且つインク量が閾値以上であることに応じて（Ｓ１３：Ｙｅｓ＆Ｓ１４：Ｙｅｓ）、着弾領域７０を図７（Ａ）に示される大きさに決定する（Ｓ１５）。具体的には、制御部１３０は、幅方向においてシート内領域７１に隣接するはみ出し領域７２の幅方向に沿う長さ（以下、「幅方向長さ」と表記する。）をＷ１（第１幅の一例）に決定する。また、制御部１３０は、搬送向き１６の上流側においてシート内領域７１に隣接するはみ出し領域７２の搬送向き１６に沿う長さ（以下、「搬送向き長さ」と表記する。）をＬ２（第２長さの一例）に決定する。一方、制御部１３０は、ステップＳ１５、及び後述するステップＳ１６、Ｓ１８、Ｓ１９において、搬送向き１６の下流側においてシート内領域７１に隣接するはみ出し領域７２の搬送向き長さを、Ｌ１（第１長さの一例）に決定する。
【００６０】
また、制御部１３０は、搬送向き情報が縦目搬送を示し且つインク量が閾値未満であることに応じて（Ｓ１３：Ｙｅｓ＆Ｓ１４：Ｎｏ）、着弾領域７０を図７（Ｂ）に示される大きさに決定する（Ｓ１６）。具体的には、制御部１３０は、はみ出し領域７２の幅方向長さをＷ３（第３幅の一例）に決定する。また、制御部１３０は、はみ出し領域７２の搬送向き長さをＬ２に決定する。
【００６１】
また、制御部１３０は、搬送向き情報が横目搬送を示し且つインク量が閾値以上であることに応じて（Ｓ１３：Ｎｏ＆Ｓ１７：Ｙｅｓ）、着弾領域７０を図８（Ａ）に示される大きさに決定する（Ｓ１８）。具体的には、制御部１３０は、はみ出し領域７２の幅方向長さをＷ２（第２幅の一例）に決定する。また、制御部１３０は、はみ出し領域７２の搬送向き長さをＬ１に決定する。
【００６２】
さらに、制御部１３０は、搬送向き情報が横目搬送を示し且つインク量が閾値未満であることに応じて（Ｓ１３：Ｎｏ＆Ｓ１７：Ｎｏ）、着弾領域７０を図８（Ｂ）に示される大きさに決定する（Ｓ１９）。具体的には、制御部１３０は、はみ出し領域７２の幅方向長さをＷ２に決定する。また、制御部１３０は、はみ出し領域７２の搬送向き長さをＬ３（第３長さの一例）に決定する。
【００６３】
なお、ステップＳ１５、Ｓ１６、Ｓ１７、Ｓ１９で決定される長さの関係は、Ｗ１＞Ｗ３＞Ｗ２、Ｌ１＞Ｌ３＞Ｌ２である。すなわち、縦目搬送される用紙１２のはみ出し領域７２の幅方向長さは、横目搬送される用紙１２のはみ出し領域７２の幅方向長さより長い。また、横目搬送される用紙１２のはみ出し領域７２の搬送向き長さは、縦目搬送される用紙１２のはみ出し領域７２の搬送向き長さより長い。さらに、吐出されるインク量が閾値未満である場合のはみ出し領域７２は、吐出されるインク量が閾値以上である場合のはみ出し領域７２より小さい。
【００６４】
また、制御部１３０は、記録指示に含まれる画像データで示される画像を、ステップＳ１２〜Ｓ１９で決定した着弾領域７０に記録するための印刷データを生成する。印刷データは、記録ヘッド３９にインクを吐出させる吐出タイミング（吐出位置）を示すデータである。制御部１３０は、例えば、シート内領域７１の大きさに相当する画像を、着弾領域７０（すなわち、シート内領域７１＋はみ出し領域７２）全体に記録するのに必要なインクを記録ヘッド３９に吐出させるタイミングを算出する。
【００６５】
次に、制御部１３０は、頭出し処理を実行する（Ｓ２０）。頭出し処理は、最初に画像が記録される用紙１２の領域を記録ヘッド３９に対面させる処理である。具体的には、制御部１３０は、第１給送トレイ２０に支持された用紙１２が搬送ローラ部５４に到達するまで、第１給送ローラ２５を正回転させる。次に、制御部１３０は、当該用紙１２が記録ヘッド３９に対面する位置に到達するまで、搬送ローラ６０及び排出ローラ６２を正回転させる。なお、用紙１２の位置は、レジストセンサ１２０からの信号の変化と、ロータリエンコーダ１２１からのパルス信号との組み合わせによって特定される。
【００６６】
次に、制御部１３０は、吐出処理を実行する（Ｓ２１）。吐出処理は、記録ヘッド３９に対面された用紙１２及びプラテン４２に向けて、記録ヘッド３９にインクを吐出させる処理である。具体的には、制御部１３０は、ステップＳ１２〜Ｓ１９で決定された大きさの着弾領域７０のうち、キャリッジ２３を左右方向９に移動させる過程で記録ヘッド３９に対面される領域に向けて、印刷データに基づいて記録ヘッド３９にインクを吐出させる。
【００６７】
次に、制御部１３０は、当該用紙１２に対する画像記録が未だ終了していないことに応じて（Ｓ２２：Ｎｏ）、搬送処理を実行する（Ｓ２３）。搬送処理は、予め定められた所定の改行幅だけ用紙１２を搬送向き１６に搬送する処理である。換言すれば、制御部１３０は、ステップＳ２３において、次に画像が記録される用紙１２の領域を記録ヘッド３９に対面させる。具体的には、制御部１３０は、用紙１２が所定の位置に到達するまで、搬送ローラ部５４及び排出ローラ部５５を正回転させる。そして、制御部１３０は、用紙１２に対する画像記録が終了するまで（Ｓ２２：Ｙｅｓ）、ステップＳ２１〜Ｓ２３の処理を繰り返し実行する。
【００６８】
そして、制御部１３０は、用紙１２に対する画像記録が終了したことに応じて（Ｓ２２：Ｙｅｓ）、用紙１２を排出トレイ２１に排出する排出処理を実行する（Ｓ２４）。具体的には、制御部１３０は、用紙１２が排出ローラ部５５を通過するまで、搬送ローラ部５４及び排出ローラ部５５を正回転させる。
【００６９】
［本実施形態の作用効果］
インクを吸収した用紙１２は、繊維の向きに沿う方向の伸び率が相対的に小さく、繊維の向きと交差する方向の伸び率が相対的に大きい。そこで、上記の実施形態のように、縦目搬送か横目搬送かに応じてはみ出し領域７２の大きさを変更することにより、画像記録品質を低下させることなく、用紙１２の外に着弾するインクの量を削減できる。
【００７０】
具体的には、横目搬送される用紙１２は、インクを吸収したことによる幅方向の伸び率が縦目搬送される用紙１２より小さい。そこで、横目搬送される用紙１２に画像を記録する場合のはみ出し領域７２の幅方向長さを、縦目搬送される用紙１２に画像を記録する場合より短くすればよい。また、縦目搬送される用紙１２は、インクを吸収したことによる搬送向き１６の伸び率が横目搬送される用紙１２より小さい。そこで、縦目搬送される用紙１２に画像を記録する場合のはみ出し領域７２の搬送向き長さを、横目搬送される用紙１２に画像を記録する場合より短くすればよい。
【００７１】
また、インクの吸収による搬送向きの伸びの影響は、最後に画像が記録される搬送向き１６の上流側の端部で顕著になる。そこで、搬送向き１６の上流側のはみ出し領域７２の搬送向き長さのみを調整すればよい。但し、搬送向き１６の上流側及び下流側のはみ出し領域７２の搬送向き長さの両方を、搬送向き情報及びインク量に応じて変更してもよい。
【００７２】
さらに、用紙１２の伸び率は、インクの吸収量が多くなるほど大きくなる傾向がある。そこで、用紙１２に着弾するインクが少ない場合に、はみ出し領域７２の幅方向長さを短くすることにより、用紙１２外に着弾するインクの量をさらに削減することができる。同様に、用紙１２に記録される画像の解像度が閾値より小さい場合或いは画素数が閾値より少ない場合に、はみ出し領域７２の幅方向長さを短くしてもよい。
【００７３】
なお、上記の実施形態において、第２給送トレイ３１、第２給送部３４、及び手差しトレイ２２は必須の構成要素ではなく、省略することができる。また、上記の実施形態において、ステップＳ１２、Ｓ１４、Ｓ１６、Ｓ１７、Ｓ１９の処理は必須ではなく、省略することができる。
【００７４】
また、上記の実施形態では、サイズ情報及び向き情報の組み合わせによって、縦目搬送か横目搬送かを判断した例を説明したが、繊維の方向と搬送向き１６との関係を特定する方法はこれに限定されない。例えば、操作部１７を通じてユーザに搬送向き情報を入力させてもよいし、複合機１０に搭載されたセンサによって搬送路６５上の用紙１２の繊維の方向を検知してもよい。
【００７５】
また、上記の実施形態では、複合機１０のＣＰＵ１３１がプログラムを実行することによって画像記録処理が実現される例を説明したが、画像記録処理の実現方法はこれに限定されない。例えば、通信回線を通じて複合機１０に接続されたコンピュータがプログラムを実行することによって、画像記録処理が実現されてもよい。この場合、コンピュータは、通信回線を通じて複合機１０から取得した搬送向き情報に基づいて、着弾領域７０の大きさを決定する。また、コンピュータは、決定した着弾領域７０に画像を記録するための印刷データを生成する。
【００７６】
そして、当該コンピュータは、生成した印刷データを含む記録指示を、通信回線を通じて複合機１０に送信する。この場合、複合機１０は、記録指示に含まれる印刷データに基づいて、図６のステップＳ２０〜Ｓ２４の処理を実行すればよい。または、当該コンピュータは、画像データ及び決定した着弾領域７０の大きさを示す情報をを含む記録指示を、通信回線を通じて複合機１０に送信してもよい。この場合、複合機１０は、記録指示に含まれる画像データ及び着弾領域７０の大きさを示す情報に基づいて、印刷データを生成する。そして、複合機１０は、生成した印刷データに基づいて、図６のステップＳ２０〜Ｓ２０の処理を実行すればよい。
【００７７】
［変形例］
次に、図９を参照して、変形例に係る決定処理を説明する。なお、上記の実施形態と共通する構成及び処理の詳しい説明は省略し、相違点を中心に説明する。変形例に係る決定処理は、例えば、図６のステップＳ１２〜Ｓ１９に代えて実行されてもよいし、図６のステップＳ１２〜Ｓ１９と共に実行されてもよい。また、図９（Ａ）及び図９（Ｂ）に示される決定処理は、独立して実行されてもよいし、組み合わせて実行されてもよい。
【００７８】
図９（Ａ）に示される決定処理は、第１給送トレイ２０に支持された用紙１２に画像を記録する場合と、第２給送トレイ３１に支持された用紙１２に画像を記録する場合とで、はみ出し領域７２の大きさを異ならせる決定処理の例である。
【００７９】
具体的には、制御部１３０は、ステップＳ１１で第１給送トレイ２０が選択されたことに応じて（Ｓ３１：Ｙｅｓ）、はみ出し領域７２の幅方向長さをＷ２に決定し、はみ出し領域７２の搬送方向長さをＬ２に決定する（Ｓ３２）。この場合の制御部１３０は、頭出し処理（Ｓ２０）において、第１給送トレイ２０に支持された用紙１２を、第１搬送路６５Ａを通じて記録ヘッド３９に対面する位置まで搬送する。
【００８０】
一方、制御部１３０は、ステップＳ１１で第２給送トレイ３１が選択されたことに応じて（Ｓ３１：Ｎｏ）、はみ出し領域７２の幅方向長さをＷ１に決定し、はみ出し領域７２の搬送方向長さをＬ１に決定する（Ｓ３３）。この場合の制御部１３０は、頭出し処理（Ｓ２０）において、第２給送トレイ３１に支持された用紙１２を、第２搬送路６５Ｂを通じて記録ヘッド３９に対面する位置まで搬送する。
【００８１】
トレイから記録部２４に至る搬送経路長が長い程、搬送時に生じる斜行の度合いが大きくなる傾向がある。そこで、図９（Ａ）に示される変形例のように、搬送経路長が長い第２給送トレイ３１に支持された用紙１２に画像を記録する場合に、搬送経路長が短い第１給送トレイ２０に支持された用紙１２に画像を記録する場合より、はみ出し領域７２を大きくするのが望ましい。但し、はみ出し領域７２の幅方向長さ及び搬送向き長さが図９（Ａ）の例に限定されないことは、言うまでもない。
【００８２】
図９（Ｂ）に示される決定処理は、第１給送トレイ２０或いは第２給送トレイ３１に支持された用紙１２に画像を記録する場合と、手差しトレイ２２に支持された用紙１２に画像を記録する場合とで、はみ出し領域７２の大きさを異ならせる決定処理の例である。なお、制御部１３０は、記録指示を取得した時点でレジストセンサ１２０からローレベル信号が出力されている場合に、手差しトレイ２２に用紙１２が支持されていると判断する。
【００８３】
そこで、制御部１３０は、手差しトレイ２２に用紙１２がセットされていることに応じて（Ｓ３４：Ｙｅｓ）、はみ出し領域７２の幅方向長さをＷ１に決定し、はみ出し領域７２の搬送方向長さをＬ１に決定する（Ｓ３５）。この場合の制御部１３０は、頭出し処理（Ｓ２０）において、手差しトレイ２２に支持された用紙１２を、記録ヘッド３９に対面する位置まで搬送する。
【００８４】
一方、制御部１３０は、手差しトレイ２２に用紙１２がセットされていないことに応じて（Ｓ３４：Ｎｏ）、はみ出し領域７２の幅方向長さをＷ２に決定し、はみ出し領域７２の搬送方向長さをＬ２に決定する（Ｓ３６）。この場合の制御部１３０は、頭出し処理（Ｓ２０）において、第１給送トレイ２０或いは第２給送トレイ３１に支持された用紙１２を、記録ヘッド３９に対面する位置まで搬送する。
【００８５】
手差しトレイ２２に支持された用紙１２は、給送トレイ２０、３１に支持され且つ給送部１５、３４によって給送された用紙１２より斜行の度合いが大きくなる傾向がある。これは、ユーザが用紙１２を手差しトレイ２２への挿入する際に、傾いた状態で挿入してしまう場合があるためである。そこで、手差しトレイ２２に支持された用紙１２に画像を記録する場合に、給送トレイ２０、３１に支持された用紙１２に画像を記録する場合より、はみ出し領域７２を大きくするのが望ましい。但し、はみ出し領域７２の幅方向長さ及び搬送向き長さが図９（Ｂ）の例に限定されないことは、言うまでもない。
【符号の説明】
【００８６】
１０・・・複合機
１５・・・第１給送部
２０・・・第１給送トレイ
２２・・・手差しトレイ
２４・・・記録部
３１・・・第２給送トレイ
３４・・・第２給送部
５４・・・搬送ローラ部
５５・・・排出ローラ部
１３０・・・制御部
【図１】
0006455053.tif 000002
【図２】
0006455053.tif 000003
【図３】
0006455053.tif 000004
【図４】
0006455053.tif 000005
【図５】
0006455053.tif 000006
【図６】
0006455053.tif 000007
【図７】
0006455053.tif 000008
【図８】
0006455053.tif 000009
【図９】
0006455053.tif 000010